(57)【要約】      （修正有）【課題】トランスポンダモジュールを介してスポーツ競技における時間を測定する方法を提供する。【解決手段】トランスポンダモジュール１０を介して、スポーツ競技において競技者に関する少なくとも１つの時間又は経過期間を測定する方法であって、トランスポンダモジュール１０は競技者個人用であり、競技中は測定システム内で競技者に追従する。個人用トランスポンダモジュール１０は競技の開始位置、中間位置、又はゴールライン６において作動し、一体であるモーションセンサによって、少なくとも１つの運動の変動又は振動のレベルを検知する。トランスポンダモジュール１０は、競技ルート上又は中間位置又は競技のゴールライン６においてモーションセンサが実行する検知に関連するデータを、測定システムのデコーダユニット４に伝送して、競技者のモーションセンサによる検知に関連する時間又は経過時間を確認する。【選択図】図１
2014122895.tif 000002
【特許請求の範囲】
【請求項１】
競技者個人用であり、かつ競技中は測定システム（１）内で前記競技者に追従して動作するトランスポンダモジュール（１０）を介して、スポーツ競技において前記競技者に関する少なくとも１つの時間又は経過期間を測定する方法であって、前記測定方法は、
−前記競技の開始位置において、又は前記競技の１つ若しくは複数の中間位置において、又は前記競技のゴールラインにおいて、前記個人用トランスポンダモジュール（１０）を作動させるステップ；
−前記トランスポンダモジュール（１０）と一体であるモーションセンサ（１１）を介して、少なくとも１つの運動の変動又は振動のレベルを検知するステップ；及び
−前記トランスポンダモジュール（１０）を介して、競技ルート上又は前記中間位置又は前記競技のゴールラインにおいて前記モーションセンサ（１１）が実行する１つ又は複数の検知に関連するデータを、前記測定システム（１）のデコーダユニット（４）に伝送して、前記競技者の前記モーションセンサによる１つ又は複数の前記検知に関連する少なくとも１つの時間又は経過時間を確認するステップ：
とから構成されることを特徴とする、測定方法。
【請求項２】
前記トランスポンダモジュール（１０）は、前記競技ルート上の前記測定システム（１）の伝送ユニット（２）の少なくとも１つのアンテナ（３）が伝送する低周波信号によって作動することを特徴とする、請求項１に記載の測定方法。
【請求項３】
前記トランスポンダモジュール（１０）は、前記競技ルートの地中若しくは地上又は前記競技の前記ゴールラインに配設された、少なくとも１つの前記アンテナ（３）が伝送する前記低周波信号によって作動することを特徴とする、請求項２に記載の測定方法。
【請求項４】
前記モーションセンサ（１１）は、前記トランスポンダモジュール（１０）が前記伝送ユニット（２）の少なくとも１つの前記アンテナ（３）から前記低周波信号を受信すると作動すること、及び
前記モーションセンサ（１１）の測定信号のレベルの変動を前記トランスポンダモジュール（１０）で検知し、これにより、前記トランスポンダモジュールからのデータ信号の伝送によって、前記競技ルート上での前記競技者に関する前記少なくとも１つの時間を定義すること
を特徴とする、請求項２に記載の測定方法。
【請求項５】
前記測定システム（１）は、トラック自転車レースの前記少なくとも１つの時間を測定するよう配設され、
自転車競技者個人用の前記トランスポンダモジュール（１０）は、自転車のフロントフォークに配設され、
前記伝送ユニット（２）の前記アンテナ（３）は前記ゴールライン上にセンタリングして配設され、
前記ゴールラインは所定の厚さのストリップ（６）を含み、前記ストリップ（６）は、前記自転車のフロントホイールが前記ゴールストリップを横切る際に、前記モーションセンサ（１１）の前記測定信号の変動を生成するためのものであり、
前記ゴールラインを横切ると、前記モーションセンサは前記測定信号の変動を検知し、これにより前記トランスポンダモジュールは、前記自転車競技者に関する中間タイム又はゴールタイムを決定するために、前記測定システム（１）の前記デコーダユニット（４）に前記測定信号に関連するデータを伝送することを特徴とする、請求項４に記載の測定方法。
【請求項６】
前記伝送ユニット（２）から前記低周波信号を受信して前記トランスポンダモジュール（１０）が作動するとすぐに、前記トランスポンダモジュールは、一体化されたマイクロコントローラ（１２）を介して、受信した前記低周波信号の様々な振幅レベルを測定し、測定した様々な前記振幅レベルを前記データ信号中で前記デコーダユニット（４）に伝送して、前記トランスポンダが測定した前記様々なレベルから算出した最大振幅に基づいて、前記自転車競技者の前記中間タイム又は前記ゴールタイムを決定することを特徴とする、請求項５に記載の測定方法。
【請求項７】
前記トランスポンダモジュール（１０）は、キャリア周波数８００ＭＨｚ〜９００ＭＨｚの前記データ信号を、前記測定システム（１）の前記デコーダユニット（４）に伝送することを特徴とする、請求項１〜６のいずれか１項に記載の測定方法。
【請求項８】
一体のタイムベースを含む前記トランスポンダモジュール（１０）は、前記スポーツ競技の前記開始位置において作動すること、及び
前記タイムベースは前記スポーツ競技の前記開始位置において同期されること
を特徴とする、請求項１に記載の測定方法。
【請求項９】
前記トランスポンダモジュール（１０）は、スキー競技のためのスキー競技者の装備の一部に装着するためのものであり、
前記トランスポンダモジュールの前記モーションセンサ（１１）は、前記スキー競技者が各スラローム又はダウンヒルポールを通過して行う各ターンを検知すること、
前記トランスポンダモジュールの前記マイクロコントローラ（１２）に接続された前記モーションセンサが、前記運動の変動を検知した後、特定の数の前記ポールを通過した時点を前記マイクロコントローラ（１２）に記録すること、及び
前記トランスポンダモジュールは前記データ信号を前記デコーダユニット（４）に伝送し、前記データ信号は前記ポールを通過した前記時点の記録を含むこと
を特徴とする、請求項８に記載の測定方法。
【請求項１０】
前記データ信号は、前記スキー競技の前記ゴールラインを横切った際に前記デコーダユニット（４）に伝送されることを特徴とする、請求項９に記載の測定方法。
【請求項１１】
前記トランスポンダモジュール（１０）は、マウンテンバイク競技、ＢＭＸ、スキー若しくはスノーボード競技において離陸時間を決定するため、又は陸上競技において前記競技者の歩数を算出するために、前記競技者又は前記自転車上に配置するためのものであり、
前記モーションセンサは、振動がない複数の時間又は期間を決定して前記離陸時間を画定するために、複数の運動の変動又は複数の振動のレベルを検知できること、
前記トランスポンダモジュールの前記マイクロコントローラ（１２）に接続された前記モーションセンサによる前記運動の変動又は前記振動の検知の後、前記時間及び期間は前記マイクロコントローラ（１２）に記録されること、並びに
前記トランスポンダモジュールは、記録された前記時間又は期間に基づいて、前記データ信号を前記デコーダユニット（４）に伝送し、前記データ信号は前記ポールを通過した前記時点の記録を含むこと
を特徴とする、請求項８に記載の測定方法。
【請求項１２】
請求項１〜１１のいずれか１項に記載の測定方法を実装するのに適したトランスポンダモジュール（１０）であって、
前記トランスポンダモジュールは、前記モジュールの運動の変動又は前記モジュールの振動のレベルの少なくとも１つの検知の少なくとも１つの測定信号を送達できる、モーションセンサ（１１）を含み、これによって、前記モーションセンサの１つ又は複数の前記検知からのデータを測定システム（１）のデコーダユニット（４）に伝送して、スポーツ競技において競技者に関する時間又は経過期間を決定することを特徴とする、トランスポンダモジュール（１０）。
【請求項１３】
前記モーションセンサ（１１）は、３つの測定軸を有する加速度計であることを特徴とする、請求項１２に記載のトランスポンダモジュール（１０）。
【請求項１４】
前記モーションセンサ（１１）は、３軸加速度計、３軸ジャイロメータ及び３軸磁気センサを含むユニットである、請求項１２に記載のトランスポンダモジュール（１０）。
【請求項１５】
前記モーションセンサ（１１）は、測定信号を制御するため、又は前記モーションセンサの様々な前記測定信号を記録するために、前記トランスポンダモジュールのマイクロコントローラ（１２）に接続されることを特徴とする、請求項１２に記載のトランスポンダモジュール（１０）。
【請求項１６】
前記モジュールは、３軸アンテナ（１３）を介して低周波信号を受信するための低周波信号レシーバ（１４）を含むこと、及び
前記トランスポンダモジュール（１０）は、前記モジュールの電子構成部品に給電するためのバッテリを有するアクティブタイプのものであること
を特徴とする、請求項１２に記載のトランスポンダモジュール（１０）。
【請求項１７】
前記モジュールは、前記トランスポンダモジュールが前記低周波信号を受信する際に、前記モジュールの前記電子構成部品への給電を制御するための、電力操作ユニット（１８）を含むことを特徴とする、請求項１６に記載のトランスポンダモジュール（１０）。
【請求項１８】
前記トランスポンダモジュールは、ループアンテナ（１５）による、キャリア周波数８００ＭＨｚ〜９００ＭＨｚの１つ又は複数のデータ信号の、前記測定システム（１）の前記デコーダユニット（４）への伝送のための、高周波トランシーバ（１６）を含むことを特徴とする、請求項１２に記載のトランスポンダモジュール（１０）。
【請求項１９】
前記モジュールは、前記マイクロコントローラ（１２）に接続されたタイムベースを含み、前記タイムベースは、前記測定システムの前記デコーダユニット（４）を介して、前記スポーツ競技の開始位置において同期させることができることを特徴とする、請求項１２に記載のトランスポンダモジュール（１０）。
【請求項２０】
前記マイクロコントローラ（１２）に接続された前記モーションセンサ（１１）により、陸上競技、短距離競走における前記競技者の速度又は加速度も決定できることを特徴とする、請求項１２に記載のトランスポンダモジュール（１０）。
【発明の詳細な説明】
【技術分野】
【０００１】
本発明は、トランスポンダモジュールを用いて、スポーツ競技において競技者に関する少なくとも１つの時間又は経過期間を測定する方法に関し、このトランスポンダモジュールは当該競技者個人用であり、測定システム内で競技時間全体を通して競技者に追従して動作する。
【０００２】
本発明はまた、スポーツ競技において少なくとも１つの時間又は経過期間を測定する方法を実装するための、トランスポンダモジュールに関する。
【背景技術】
【０００３】
スポーツ競技では、測定システムの有用性を保証するために、レースの測定時間を検知及び記録するための複数のデバイスを用いる必要がある場合がある。これらのデバイスはまた、自動測定システムを形成できるようにするために、良好な測定精度及び測定安全性を保証する必要がある。このタイプの測定システムで使用されるデバイスは、例えば接触ストリップ、カメラ、光電池及びトランスポンダである。
【０００４】
複数のアスリート間の時間差が使用するトランスポンダの精度より小さい場合、手動チェック動作も利用する必要があることにも留意されたい。従って従来の測定システムは完全には自動化できず、これが欠点である。
【０００５】
トラック自転車レースにおいて時間を測定するために、ゴールラインに配設した電気的接触を用いることがある。この電気的接触はゴールラインを横切る自転車によって閉状態となり、これによって各自転車競技者の中間タイム又はゴールタイムを決定できる。各自転車競技者に関する情報はゴールラインを横切るごとに伝送されるわけではないため、手動チェック動作も行わなければならない。更に、このタイプの電気的接触は静電放電を発生させることがあり、ゴールラインを横切る各自転車競技者がこの静電放電を強く感じる傾向がある。従ってこれがこのタイプの非自動測定システムの欠点である。
【発明の概要】
【発明が解決しようとする課題】
【０００６】
従って本発明の目的は、正確な時間又は測定した経過期間のデータを送達するために測定システム内で競技者に追従する個人用トランスポンダモジュールを介して、スポーツ競技において競技者に関する少なくとも１つの時間又は経過期間を測定する方法を提案することにより、上述の先行技術の欠点を克服することである。
【課題を解決するための手段】
【０００７】
従って本発明は、独立請求項１に定義した特徴を含む、トランスポンダモジュールを介してスポーツ競技において競技者に関する少なくとも１つの時間又は経過期間を測定する方法に関する。
【０００８】
少なくとも１つの時間又は経過期間を測定する方法の具体的なステップは、従属請求項２〜１１に定義される。
【０００９】
スポーツ競技において競技者に関する少なくとも１つの時間又は経過期間を測定する方法の１つの利点は、測定した時間を記録するための各競技者個人用の１つ又は複数のトランスポンダモジュールの使用にあたって、測定システムには僅かな追加の複雑機構しか必要ではないという事実にある。競技者が競技の中間位置又はゴールラインを横切る時点を、測定システムによって自動で極めて正確に検知できる。各トランスポンダモジュールは、極めて僅かな追加の機構を併用することによって、所定の通信チャネル上で通信可能である。
【００１０】
本発明によれば、トランスポンダモジュールは、測定システムの伝送ユニットのアンテナによって伝送される少なくとも１つの低周波信号によって作動させることができる。このモジュールは、それぞれ低周波信号伝送ユニットを含むスポーツ競技の開始位置において、又は中間位置において、又は上記スポーツ競技のゴール位置において、作動させることができる。低周波信号を受信して、加速度計であってよいモーションセンサをトランスポンダモジュール内で作動させてよい。トランスポンダモジュールはモーションセンサによる検知に関連するいずれのデータを、自動化された測定システムのデコーダユニットに、高周波データ信号を介して伝送できる。モーションセンサが検知する運動又は振動の変動に応じて、自動化された測定システムは競技ルート上で、少なくとも１つのレース関連時間又は経過期間を決定できる。
【００１１】
有利には、測定システムのモーションセンサを有するトランスポンダモジュールは、いずれのタイプのスポーツ競技に使用できる。これはトラック自転車レースであってよく、ここでは、自転車のフロントフォーク上のモーションセンサが、ゴールライン上の所定の厚さのストリップを横切ると、運動の変動又は衝撃を検知する。
【００１２】
スポーツ競技は長距離水泳競技であってよく、ここではモーションセンサは、競技の終了時に、トランスポンダモジュールが取り付けられた水泳競技者の手の、壁に対する衝撃を検知する。
【００１３】
スポーツ競技はスキーレースであってよく、ここではモーションセンサは、各スラローム又はダウンヒルポールを通過する際にスキー競技者が行う各ターンを検知する。このような場合トランスポンダモジュールは、一体型のタイムベースと同期してレースの開始位置において起動され、ポールを通過する各時点を記録する。ゴールラインを横切ると、記録した全てのデータがデコーダステーションに伝送される。
【００１４】
スポーツ競技はマウンテンバイク若しくはＢＭＸレース又は陸上競技レースでさえあってもよい。このような場合、モーションセンサを用いて、自転車の「離陸期間」、即ち自転車が地面又はトラックと接触していない全ての時間を決定する。陸上競技の場合、例えばモーションセンサが検知した測定信号レベルの各変動間の測定時間を考慮することにより、走者の歩数を決定できる。
【００１５】
また、本発明によれば、スポーツ競技において時間又は経過期間を測定する方法を実装するためのトランスポンダモジュールにも関し、これは独立請求項１２に記載した特徴を含む。
【００１６】
このトランスポンダモジュールの具体的な実施形態は、従属請求項１３〜２０に定義される。
【００１７】
有利には、トランスポンダモジュールはモーションセンサを含み、このモーションセンサはトランスポンダモジュールのマイクロコントローラに接続される。トランスポンダモジュールはアクティブタイプであってよいが、測定システムの少なくとも１つの伝送ユニットから低周波信号を受信すると起動するものであってよい。
【００１８】
有利には、モーションセンサは３軸加速度計、又は３軸加速度計、３軸ジャイロメータ及び３軸磁気センサを含むユニットであってよい。運動の変動又は振動の各検知はマイクロコントローラへと通信されて、マイクロコントローラがこれを処理して記録する。
【００１９】
自動化された測定システム内のトランスポンダモジュールを介して、スポーツ競技において少なくとも１つの時間又は経過期間を測定する方法、及びこのような方法を実装するためのトランスポンダモジュールの、目的、利点及び特徴は、図示した少なくとも１つの比限定的な実施形態に関する以下の説明においてより明らかになるであろう。
【図面の簡単な説明】
【００２０】
【図１】図１は、本発明による少なくとも１つのスポーツ競技時間を測定する方法を実装するための複数のトランスポンダモジュールを含む、自動化された測定システムの概略図である。
【図２】図２は、本発明による少なくとも１つの時間を測定する方法を実装するためのトランスポンダモジュールの実施形態を示す。
【発明を実施するための形態】
【００２１】
以下の説明において、時間若しくは経過期間測定方法を実装するためのトランスポンダモジュール又は測定システムの、当業者に公知である全ての要素については、簡略化された様式でしか説明しない。
【００２２】
図１は自動化された測定システム１の概略図であり、このシステム１はいずれのタイプのスポーツ競技で使用できる。しかしながら図１は、例えばトラック自転車レースにおいて通過時間又はゴールタイムを測定するために使用できる自動化された測定システムを示す。
【００２３】
時間測定システム１は主に、ＴＡＧ１、ＴＡＧ２、ＴＡＧ３として定義した１つ又は複数のトランスポンダモジュール１０で形成される。各トランスポンダモジュール１０は各競技者個人用であり、以下に説明するように、いずれの運動の変動又は振動を検知するためのモーションセンサも含む。通常、いずれの運動の変動又は所定の検知閾値を超えるレベルの振動に関して、モーションセンサ検知が送達される。トラック自転車レースでは、トランスポンダモジュール１０は自転車のフロントフォークに設置してよい。
【００２４】
個人用トランスポンダモジュール１０は好ましくはアクティブトランスポンダモジュールであり、即ちその構成要素への給電のためのバッテリを備える。しかしながら、電力消費を低減するために、トランスポンダモジュール１０は概ね静止モードである。図１に示す実施形態では、各トランスポンダモジュール１０は、測定システム１の伝送ユニット２の伝送アンテナ３が伝送する低周波信号ＬＦを検知できる場合に主に作動させることができる。上記伝送ユニット２が伝送する低周波信号は例えば、約１２５ｋＨｚの周波数であってよい。伝送ユニットは従来通り、測定システム１のデータ処理ステーション７によって制御できる。伝送ユニットは競技全体を通して、伝送アンテナ３を介して低周波信号ＬＦを伝送できる。
【００２５】
伝送アンテナ３はトラックの地中又は地上に配設してよい。伝送アンテナ３は好ましくはゴールライン６上にセンタリングされ、トラックの幅全体にわたって延在してよい。伝送アンテナ３の幅は１０ｃｍ〜２ｍであってよく、通常は約６０ｃｍである。一般に各トランスポンダモジュールは、ゴールラインから約２ｍの距離において、伝送アンテナが伝送する低周波信号によって作動させることができる。トランスポンダモジュール１０がゴールライン６に近づけば近づくほど、トランスポンダモジュールが拾う低周波信号ＬＦのレベルは増大する。トランスポンダモジュールが拾う低周波信号ＬＦのレベルは、アンテナの中心に対する位置及び距離に応じて変化する。信号分析アルゴリズムによって、ゴールライン６に対するトランスポンダモジュールの位置を決定できる。
【００２６】
図１に示すように、第１のトランスポンダモジュールＴＡＧ１はゴールライン６上に配置される。これは伝送アンテナ３からの低周波信号ＬＦによって作動する。第２のトランスポンダモジュールＴＡＧ２は伝送アンテナ３の近傍に配置される。これもまた、伝送アンテナ３からの低周波信号ＬＦによって既に作動されているが、受信する上記低周波信号ＬＦは低いレベルである。第３のトランスポンダモジュールＴＡＧ３は伝送アンテナ３から離間している。このような状況において、第３のトランスポンダモジュールは伝送アンテナからの低周波信号ＬＦによって作動しておらず、静止モードのままである。
【００２７】
トランスポンダモジュールを自転車のフロントフォークに配設する場合、トラックに対するモジュールの高さはごく僅かに変化する。これにより、トランスポンダモジュールが受信した最大フィールド値を算出することによって、競技者が通過又はゴールした時点をデコーダユニット４において測定できる。これを達成するために、トランスポンダモジュールは受信する低周波信号の様々なレベルを、受信信号強度インジケータ回路を介して測定する。これはデータ信号中の様々な測定フィールドレベルをデコーダユニット４に伝送し、そしてデコーダユニット４は自転車競技者が自転車に乗って通過又はゴールした時点を決定する。しかしながら、トランスポンダモジュールが検知した最大フィールド値を決定することのみによって、競技者が通過又はゴールした時点を測定するのは、十分に正確とは言えない。
【００２８】
このタイプのトラック自転車競技において、ゴールラインは、自転車のホイールを横切る際に衝撃を生成できる所定の厚さのストリップ６で形成される。上記ストリップのこの厚さは約１〜３ｍｍであってよい。ゴールラインを横切ることにより、横切る各時点において測定信号がモーションセンサからインパルスの形態で送達される。上記モーションセンサが生成するこのインパルスを用いて、ゴールラインを横切る各時点をトリガし、デコーダユニット４において競技者のゴールタイムを正確に決定できる。
【００２９】
モーションセンサが送達するインパルスの形態の測定信号は、トランスポンダモジュール１０によって制御及び伝送できる。データ信号はトランスポンダモジュールによって伝送され、測定システム１のデコーダユニット４のレシーバアンテナ５がこれを拾う。このデータ信号は、例えば８００ＭＨｚ〜９００ＭＨｚの周波数を有してよい。トランスポンダモジュールが伝送するデータは正確であるが、これは、自転車が上記ゴールラインを横切る瞬間に、モーションセンサによる運動の変動の検知によってトリガされるためである。
【００３０】
３つの測定軸を有する加速度計の形態のモーションセンサの場合、トランスポンダモジュール１０が伝送するデータ信号は３つの測定軸上での測定を含む。測定は一般に３ミリ秒毎に行われ、これらの測定全てが含むデータ信号は、アクティブトランスポンダモジュール１０によって１２ミリ秒毎にデコーダユニット４に伝送される。しかしながら、トランスポンダモジュールにおいて使用する電子構成部品に応じて、その他の時間値も想定できる。
【００３１】
デコーダユニット４はまた、測定システム１のデータ処理ユニット７に接続してもよい。このステーション７は、デコーダユニット４からのデータを処理するため、及び競技者に関する様々な時間を順位と共に表示するために使用してよい。デコーダユニット４はまた、各競技者のための上記個人用モジュールに対して各トランスポンダモジュール１０をプログラムするために使用してよい。更に、トランスポンダモジュールを競技の開始位置において作動させなければならない場合、デコーダユニット４は競技者がスタートする瞬間に、トランスポンダモジュールのタイムベースと同期できる。このような状況では、時間測定をトランスポンダモジュール内で直接実行できるため、低周波信号ＬＦの伝送ユニット２を使用する必要はもはやない。自転車のフロントホイールがゴールラインを横切ったことをモーションセンサが検知した瞬間に、トランスポンダモジュールは競技者のゴールタイムデータ信号をデコーダユニット４に伝送する。
【００３２】
トランスポンダモジュール１０はまた、受信したフィールドレベル測定に基づいて、時間測定を実施するか又は位置データを提供してよい。このような公知の受信フィールド測定は、トランスポンダモジュールにおいてＲＳＳＩ回路、即ち受信信号強度インジケータ回路によって実施される。トランスポンダモジュールが伝送アンテナの中央に近づけば近づくほど、受信フィールドは強くなる。理論的には、伝送アンテナはゴールラインにおいて地面にセンタリングされている。トランスポンダモジュールはこのアンテナに近づくとオンになり、この瞬間から、複数の受信フィールド強度測定を実行できる。競技者の運動中にトランスポンダモジュールの高さが一定である場合、定義される受信フィールドレベルのカーブは、上記伝送アンテナの中央において最大値を取るガウス曲線となる。
【００３３】
図２に、特にトラック自転車レースであるいずれのタイプのスポーツ競技に使用できる、トランスポンダモジュール１０のある実施形態を示す。トランスポンダモジュールは主に、上記モジュールにおける少なくとも１つの検知した運動の変動又は上記モジュールが検知した振動レベルに関する、少なくとも１つの測定信号を送達できるモーションセンサ１１を含む。スポーツ競技中の競技者に関する時間又は経過期間を決定するために、モーションセンサによる１つ又は複数の検知に関連するデータ信号を、測定システム１のデコーダユニット４に伝送してよい。
【００３４】
トランスポンダモジュールのモーションセンサ１１は３つの測定軸を有する加速度計、又は３軸加速度計、３軸ジャイロメータ及び３軸磁気センサを含むユニットであってよい。モーションセンサ１１は、測定信号を制御するか又は様々なモーションセンサ測定信号を記録するための、トランスポンダモジュールのマイクロコントローラ１２に接続される。
【００３５】
トランスポンダモジュールは、３軸アンテナ１３を介して低周波信号を受信するための低周波信号レシーバ１４を含んでよい。トランスポンダモジュールは、トランスポンダモジュールの電子構成部品に給電するためのバッテリを有するアクティブタイプのものであってよい。トランスポンダモジュールの電力消費を低減するために、電力操作ユニット１８を設けてよい。バッテリはこの電力操作ユニットの一部を形成するか、又はこの電力操作ユニットに接続されてよい。電力操作ユニットはモジュールの電子構成部品への電源を管理できる。電力操作ユニット１８は通常、トランスポンダモジュールが低周波信号を受信するとすぐに、電源を操作できる。
【００３６】
トランスポンダモジュールはまた、８００ＭＨｚ〜９００ＭＨｚのキャリア周波数の１つ又は複数のループアンテナ１５による伝送のための、高周波トランシーバ１６も含む。１つ又は複数のデータ信号は、マイクロコントローラ１２の命令によって測定システム１のデコーダユニット４に伝送される。好ましくは、トランスポンダモジュールを競技の開始位置において作動させなければならない場合、トランスポンダモジュールはマイクロコントローラ１２に接続されたタイムベースも含んでよい。このタイムベースは、ループアンテナ１５におけるデコーダユニットからの同期又は制御信号の受信によって、スポーツ競技の開始位置において同期させることができる。
【００３７】
トランスポンダモジュールの低周波信号レシーバ１４は、マイクロコントローラ及び電力操作ユニット１８に接続される。レシーバの出力は増幅器１７にも接続され、この増幅器１７は、トランスポンダモジュールが検知したフィールドレベルを測定するために、増幅した受信信号をマイクロコントローラ１２に送達する。これにより、測定のダイナミクスも向上する。従って、小さな低周波信号又は極めて強い低周波信号を拾うことができる。
【００３８】
マイクロコントローラ１２に接続されたモーションセンサ１１を用いて、速度又は加速度を決定できることにも留意されたい。競技者の速度又は加速度の測定は、陸上競技、特に短距離競走において有益である。
【００３９】
本発明の時間又は経過期間測定方法は、例えばスーパー大回転、大回転又はスペシャルスラローム等のスキーレースのようなスキー競技に応用できる。この場合、トランスポンダモジュールを用いて、スキー競技者がポールを横切るたびに、スキー競技者が行うターンを検知できる。これを達成するために、トランスポンダモジュールを競技者がスタートする瞬間に作動させ、トランスポンダモジュールと一体のタイムベースと同期させることができる。このようにして、トランスポンダモジュールは、加速度計等のモーションセンサが提供する検知を介して、スキー競技者が行う各ターンの瞬間を記録できる。ゴールラインを横切ると、トランスポンダモジュールがレース中に記録した全てのデータを測定システムのデコーダユニットに伝送して、各競技者の全個人データを処理できる。
【００４０】
本発明の時間又は経過期間測定方法は、マウンテンバイク競技、ＢＭＸ、スキー、スノーボード又は陸上競技等のスポーツ競技にも応用できる。本方法は例えば、自転車「離陸期間」、即ち自転車が地面又はトラックと接触していない全ての時間を決定できる。陸上競技レースの場合、例えばモーションセンサが検知した測定信号レベルの各変動間の測定時間を考慮することにより、走者の歩数を決定できる。
【００４１】
本発明の時間又は経過期間測定方法は、長距離水泳等のスポーツ競技にも応用できる。このような場合、測定システムは図１を参照して上述したものと類似のものである。各水泳競技者はトランスポンダモジュールを備えるブレスレットを少なくとも一方の手首に装着する。水泳競技者の手が、測定システムの伝送ユニットの伝送アンテナを備えるゴール接触プレートに触れた瞬間、モーションセンサが生成するインパルスが、トランスポンダモジュールによってデコーダユニットに直接伝送される。このインパルスは、水泳競技者の正確な個人データをデコーダユニットに送達して、各水泳競技者のタイムを自動化された様式で確立し、水泳競技者の順位を即座に決定する。アクティブトランスポンダモジュールは、水泳レースのゴールにある接触プレートから約３０ｃｍの距離において作動させてよい。
【００４２】
当業者は以上の説明から、請求項で定義する本発明の範囲から逸脱することなく、スポーツ競技において少なくとも１つの時間又は経過期間を測定する方法の複数の変形例を考案できる。トランスポンダモジュールは、スポーツ競技の全期間を通して手動で作動させることができる。トランスポンダモジュールのタイムベースの作動及び同期は、低周波信号伝送ユニットによって達成してよい。
【符号の説明】
【００４３】
１    測定システム
２    伝送ユニット
３    アンテナ
４    デコーダユニット
５    レシーバアンテナ
６    ゴールライン
７    データ処理ステーション
１０  トランスポンダモジュール
１１  モーションセンサ
１２  マイクロコントローラ
１３  ３軸アンテナ
１４  低周波信号レシーバ
１５  ループアンテナ
１６  高周波トランシーバ
１７  増幅器
１８  電力操作ユニット
【図１】
2014122895.tif 000003
【図２】
2014122895.tif 000004